(57)【要約】      （修正有）【課題】必要とする規格に伸縮変化させて使用することができるマルチタイプ接続装置を提供する。【解決手段】マルチタイプ接続装置は、第１のモジュール１００、第２のモジュール２００及びアウターハウジング３００を含む。第１のモジュール１００は、第１の絶縁本体１及び第１の端子群２を含む。第１の端子群２は、複数の第１の端子２１と複数の第２の端子２２とを含む。第２のモジュール２００は、第２の絶縁本体３及び第２の端子群４を含む。第２の端子群４は、複数の第３の端子４１と複数の第４の端子４２とを含む。第１のモジュール１００と第２のモジュール２００とは重なるように設けられ、第１のモジュール１００が第１の位置まで移動した場合、第１のモジュール１００は使用状態となる。第１のモジュール１００が第２の位置まで移動した場合、第２のモジュール２００は使用状態となる。【選択図】図１
0003205525.tif 000002
【実用新案登録請求の範囲】
【請求項１】
第１の絶縁本体及び前記第１の絶縁本体に設けられる第１の端子群を含み、前記第１の端子群が、第１の接触部及び第１の導通部がそれぞれ形成されている複数の第１の端子と第２の接触部及び第２の導通部がそれぞれ形成されている複数の第２の端子とを含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子と第４の接触部、第４の導通部及び第２の接続部がそれぞれ形成されている複数の第４の端子とを含み、前記第１のモジュールが第１の位置及び第２の位置まで移動することができるように前記第１のモジュールと重なって設けられ、前記第１のモジュールが前記第１の位置まで移動した場合、前記第１のモジュールは使用状態となり、複数の前記第３の導通部及び複数の前記第４の導通部が、対応する複数の前記第１の導通部及び複数の前記第２の導通部と接触し、前記第１のモジュールが前記第２の位置まで移動した場合、前記第１のモジュールが収縮状態となる一方、前記第２のモジュールが使用状態となり、複数の前記第３の導通部及び複数の前記第４の導通部が、対応する複数の前記第１の導通部及び複数の前記第２の導通部から分離する、第２のモジュールと、
前記第１のモジュールの外部に被覆され、１つの面には間隙が設けられており、前記間隙の両側にそれぞれ前記第２のモジュールを当接位置決めするための突出部が設けられる、アウターハウジングと、
を含むことを特徴とするマルチタイプ接続装置。
【請求項２】
前記複数の第３の端子の前記第３の導通部、前記第１の接続部及び前記複数の第４の端子の前記第４の導通部、前記第２の接続部が、回路基板に形成されることを特徴とする請求項１に記載のマルチタイプ接続装置。
【請求項３】
前記第２の絶縁本体の後部にはＵ字形の収容ベースが設けられており、前記第１のモジュール及び前記アウターハウジングが前記収容ベース内部に収容されることを特徴とする請求項１に記載のマルチタイプ接続装置。
【請求項４】
前記第１のモジュールは２つ設けられており、２つの前記第１のモジュールは前記第２のモジュールに前後に移動可能に設けられることを特徴とする請求項１に記載のマルチタイプ接続装置。
【請求項５】
２つの前記第１のモジュールは、それぞれ前記第２のモジュールの頂部及び底部に前後に移動可能に設けられることを特徴とする請求項４に記載のマルチタイプ接続装置。
【請求項６】
第１の絶縁本体及び前記第１の絶縁本体に設けられる第１の端子群を含み、前記第１の端子群が、第１の接触部及び第１の導通部がそれぞれ形成されている複数の第１の端子を含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子を含み、前記第１のモジュールが第１の位置及び第２の位置まで移動することができるように前記第１のモジュールと重なって設けられ、前記第１のモジュールが前記第１の位置まで移動した場合、前記第１のモジュールが使用状態となり、複数の前記第３の導通部が、対応する複数の前記第１の導通部と接触し、前記第１のモジュールが前記第２の位置まで移動した場合、前記第１のモジュールが収縮状態となる一方、前記第２のモジュールが使用状態となり、複数の前記第３の導通部が、対応する複数の前記第１の導通部から分離する、第２のモジュールと、
前記第１のモジュールの外部に被覆され、１つの面には間隙が設けられており、前記間隙の両側にそれぞれ前記第２のモジュールを当接位置決めするための突出部が設けられる、アウターハウジングと、
を含むことを特徴とするマルチタイプ接続装置。
【請求項７】
第１の絶縁本体及び前記第１の絶縁本体に設けられる第１の端子群を含み、前記第１の端子群が、第１の接触部及び第１の導通部がそれぞれ形成されている複数の第１の端子と第２の接触部及び第２の導通部がそれぞれ形成されている複数の第２の端子とを含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子と第４の接触部、第４の導通部及び第２の接続部がそれぞれ形成されている複数の第４の端子とを含み、前記第１のモジュールが第１の位置及び第２の位置まで移動することができるように前記第１のモジュールと重なって設けられ、前記第１のモジュールが前記第１の位置まで移動した場合、前記第１のモジュールが使用状態となり、複数の前記第３の導通部及び複数の前記第４の導通部が、対応する複数の前記第１の導通部及び複数の前記第２の導通部と接触し、前記第１のモジュールが前記第２の位置まで移動した場合、前記第１のモジュールが収縮状態となる一方、前記第２のモジュールが使用状態となり、複数の前記第３の導通部及び複数の前記第４の導通部が、対応する複数の前記第１の導通部及び複数の前記第２の導通部から分離する、第２のモジュールと、
を含むことを特徴とするマルチタイプ接続装置。
【請求項８】
第１の絶縁本体及び前記第１の絶縁本体に設けられる第１の端子群を含み、前記第１の端子群が、第１の接触部及び第１の導通部がそれぞれ形成されている複数の第１の端子を含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子を含み、前記第１のモジュールが第１の位置及び第２の位置まで移動することができるように前記第１のモジュールと重なって設けられ、前記第１のモジュールが前記第１の位置まで移動した場合、前記第１のモジュールが使用状態となり、複数の前記第３の導通部が、対応する複数の前記第１の導通部と接触し、前記第１のモジュールが前記第２の位置まで移動した場合、前記第１のモジュールが収縮状態となる一方、前記第２のモジュールが使用状態となり、複数の前記第３の導通部が、対応する複数の前記第１の導通部から分離する、第２のモジュールと、
を含むことを特徴とするマルチタイプ接続装置。
【請求項９】
ＵＳＢのＣ型の規格であるマルチタイプ接続装置であって、
第２の絶縁本体と、
前記第２の絶縁本体に設けられ、第３の接触部、第３の導通部及び第１の接続部がそれぞれ形成されている複数の第３の端子と第４の接触部、第４の導通部及び第２の接続部がそれぞれ形成されている複数の第４の端子とを含み、複数の前記第３の導通部及び複数の前記第４の導通部が前記第２の絶縁本体の１つの面又は両面に露出される、第２の端子群と、
を含むことを特徴とするマルチタイプ接続装置。
【請求項１０】
第１の絶縁本体及び前記第１の絶縁本体に設けられる第１の端子群を含み、前記第１の端子群が、第１の接触部及び第１の導通部がそれぞれ形成されている複数の第１の端子と第２の接触部及び第２の導通部がそれぞれ形成されている複数の第２の端子とを含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子と第４の接触部、第４の導通部及び第２の接続部がそれぞれ形成されている複数の第４の端子とを含み、前記第１のモジュールが第１の位置及び第２の位置まで移動することができるように前記第１のモジュールと重なって設けられ、前記第１のモジュールが前記第１の位置まで移動した場合、複数の前記第１の導通部及び複数の前記第２の導通部が複数の前記第３の導通部及び複数の前記第４の導通部と接触することで、前記第１のモジュールの前記第１の端子群と前記第２のモジュールの前記第２の端子群とが電気的に接続され、前記第１のモジュールが前記第２の位置まで移動した場合、複数の前記第１の導通部及び複数の前記第２の導通部が複数の前記第３の導通部及び複数の前記第４の導通部から分離することで、前記第１のモジュールの前記第１の端子群と前記第２のモジュールの前記第２の端子群とが電気的に分離される、第２のモジュールと、
前記第１のモジュールと前記第２のモジュールとの間に設けられ、前記第１のモジュールと前記第２のモジュールを転倒させるための転倒機構と、
を含むことを特徴とするマルチタイプ接続装置。
【請求項１１】
第１の絶縁本体及び前記第１の絶縁本体に設けられる第１の端子群を含み、前記第１の端子群が、第１の接触部及び第１の導通部がそれぞれ形成されている複数の第１の端子を含む、第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子を含み、前記第１のモジュールが第１の位置及び第２の位置まで移動することができるように前記第１のモジュールと重なって設けられ、前記第１のモジュールが前記第１の位置まで移動した場合、複数の前記第１の導通部が複数の前記第３の導通部と接触することで、前記第１のモジュールの前記第１の端子群と前記第２のモジュールの前記第２の端子群とが電気的に接続され、前記第１のモジュールが前記第２の位置まで移動した場合、複数の前記第１の導通部が複数の前記第３の導通部から分離することで、前記第１のモジュールの前記第１の端子群と前記第２のモジュールの前記第２の端子群とが電気的に分離される、第２のモジュールと、
前記第１のモジュールと前記第２のモジュールとの間に設けられ、前記第１のモジュールと前記第２のモジュールを転倒させるための転倒機構と、
を含むことを特徴とするマルチタイプ接続装置。
【請求項１２】
それぞれ第１の絶縁本体及び前記第１の絶縁本体に設けられる第１の端子群を含み、前記第１の端子群が、第１の接触部及び第１の導通部がそれぞれ形成されている複数の第１の端子と第２の接触部及び第２の導通部がそれぞれ形成されている複数の第２の端子とを含む、２つの第１のモジュールと、
第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子と第４の接触部、第４の導通部及び第２の接続部がそれぞれ形成されている複数の第４の端子とを含み、複数の前記第３の導通部及び複数の前記第４の導通部が前記第２の絶縁本体の両面に露出される、第２のモジュールと、
を含み、
前記２つの第１のモジュールが前記第２のモジュールの頂部及び底部に前後に移動可能に設けられ、前記２つの第１のモジュールが第１の位置及び第２の位置まで移動することができるように前記２つの第１のモジュールと前記第２のモジュールとは重なって設けられ、前記第１のモジュールが前記第１の位置まで移動した場合、複数の前記第１の導通部及び複数の前記第２の導通部が複数の前記第３の導通部及び複数の前記第４の導通部と接触することで、前記第１のモジュールの前記第１の端子群と前記第２のモジュールの前記第２の端子群とが電気的に接続され、前記第１のモジュールが前記第２の位置まで移動した場合、複数の前記第１の導通部及び複数の前記第２の導通部が複数の前記第３の導通部及び複数の前記第４の導通部から分離することで、前記第１のモジュールの前記第１の端子群と前記第２のモジュールの前記第２の端子群とが電気的に分離される、
ことを特徴とするマルチタイプ接続装置。
【請求項１３】
それぞれ第１の絶縁本体及び前記第１の絶縁本体に設けられる第１の端子群を含み、前記第１の端子群が、第１の接触部及び第１の導通部がそれぞれ形成されている複数の第１の端子を含む、２つの第１のモジュールと、
第２の絶縁本体及び前記第２の絶縁本体に設けられる第２の端子群を含み、前記第２の端子群が、第３の接触部、第３の導通部及び第１の接続部がそれぞれ形成されている複数の第３の端子を含み、複数の前記第３の導通部が前記第２の絶縁本体の両面に露出される、第２のモジュールと、
を含み、
前記２つの第１のモジュールが前記第２のモジュールの頂部及び底部に前後に移動可能に設けられ、前記２つの第１のモジュールが第１の位置及び第２の位置まで移動することができるように前記２つの第１のモジュールと前記第２のモジュールとは重なって設けられ、前記第１のモジュールが前記第１の位置まで移動した場合、複数の前記第１の導通部及び複数の前記第３の導通部とが接触することで、前記第１のモジュールの前記第１の端子群と前記第２のモジュールの前記第２の端子群とが電気的に接続され、前記第１のモジュールが前記第２の位置まで移動した場合、複数の前記第１の導通部が複数の前記第３の導通部から分離することで、前記第１のモジュールの前記第１の端子群と前記第２のモジュールの前記第２の端子群とが電気的に分離される、
ことを特徴とするマルチタイプ接続装置。
【考案の詳細な説明】
【技術分野】
【０００１】
本考案は、接続装置に関し、特に伸縮変化可能なマルチタイプ接続装置に関する。
【背景技術】
【０００２】
現在のＵＳＢドッキングコネクタは、例えばＵＳＢのＡ型規格、ＵＳＢのＢ型規格、ＵＳＢのＣ型規格、Ｍｉｎｉ  ＵＳＢ又はＭｉｃｒｏ  ＵＳＢ等の単一規格のみによって構成されており、その用途が限定されるため、使用上の不便を生じている。その他の形式のドッキングコネクタにも同様の問題があった。
【考案の概要】
【考案が解決しようとする課題】
【０００３】
本考案は、異なる規格を選択することができ、使用者が異なる需要に応じて必要とする規格に伸縮変化させて使用することができる、幅広い用途と優れた利便性を有するマルチタイプ接続装置を提供することを課題とする。
【課題を解決するための手段】
【０００４】
上述した課題を解決するために、本考案に係るマルチタイプ接続装置は、第１の絶縁本体及び前記第１の絶縁本体に設けられる第１の端子群を含み、前記第１の端子群が、第１の接触部及び第１の導通部がそれぞれ形成されている複数の第１の端子と第２の接触部及び第２の導通部がそれぞれ形成されている複数の第２の端子とを含む、第１のモジュールと、第２の絶縁本体及び前記第２の絶縁本体に設けられる第２の端子群を含む第２のモジュールであって、前記第２の端子群が、第３の接触部、第３の導通部及び第１の接続部がそれぞれ形成されている複数の第３の端子と第４の接触部、第４の導通部及び第２の接続部がそれぞれ形成されている複数の第４の端子とを含み、前記第１のモジュールが第１の位置及び第２の位置まで移動することができるように前記第１のモジュールと重なって設けられ、前記第１のモジュールが前記第１の位置まで移動した場合、前記第１のモジュールが使用状態となり、複数の前記第３の導通部及び複数の前記第４の導通部が、対応する複数の前記第１の導通部及び複数の前記第２の導通部と接触し、前記第１のモジュールが前記第２の位置まで移動した場合、前記第１のモジュールが収縮状態となる一方、前記第２のモジュールが使用状態となり、複数の前記第３の導通部及び複数の前記第４の導通部が、対応する複数の前記第１の導通部及び複数の前記第２の導通部から分離する、第２のモジュールと、前記第１のモジュールの外部に被覆され、１つの面には間隙が設けられており、前記間隙の両側にそれぞれ前記第２のモジュールを当接位置決めするための突出部が設けられる、アウターハウジングと、を含むことを特徴とする。
【考案の効果】
【０００５】
本考案に係る接続装置は、伸縮変化可能な構成としたことにより、第１のモジュールと第２のモジュールとを相対的に移動させることができ、異なる規格を選択肢として有することができるため、使用者が第１のモジュール又は第２のモジュールを選択的に使用することができ、幅広い用途を有するとともに、優れた使用上の利便性を有する。
【０００６】
更に、本考案では、間隙及び突出部が設けられたアウターハウジングを設けることができるため、第２のモジュールを、その突出部を利用してガイドすることで安定的に前後に移動させることができ、また、第２のモジュールを、その突出部を利用して当接位置決めすることで、第１のモジュールに安定的に設置することができることから、第１のモジュール及び第２のモジュールを安定して電気的に接続させることが可能となる。
【０００７】
本考案では、第２のモジュールを転倒可能な構成とすることができるため、幅広い用途を有するとともに、優れた使用上の利便性を有すると共に、延長機能及びアダプタ機能を有することができる。
【０００８】
本考案では、２つの第１のモジュールを設けることができるため、この２つの第１のモジュールをそれぞれ前後に移動可能に第２のモジュールの頂部及び底部に設けることで、使用者は、２つの第１のモジュール又は第２のモジュールを選択的に使用することができ、幅広い用途を有するとともに、優れた使用上の利便性を有する。
【図面の簡単な説明】
【０００９】
【図１】本考案の第１の実施例に係る接続装置の分解斜視図である。
【図２】本考案の第１の実施例に係る接続装置の斜視図である。
【図３】本考案の第１の実施例に係る接続装置の平面図である。
【図４】本考案の第１の実施例に係る第２のモジュールの分解斜視図である。
【図５】本考案の第１の実施例に係る接続装置の使用状態を示す斜視図である。
【図６】本考案の第１の実施例に係る接続装置の使用状態を示す平面図である。
【図７】本考案の第１の実施例に係る接続装置の他の使用状態を示す斜視図である。
【図８】本考案の第１の実施例に係る接続装置の他の使用状態を示す平面図である。
【図９】本考案の第２の実施例に係る接続装置の平面図である。
【図１０】本考案の第２の実施例に係る接続装置の他の使用状態を示す平面図である。
【図１１】本考案の第３の実施例に係る接続装置の平面図である。
【図１２】本考案の第４の実施例に係る接続装置の平面図である。
【図１３】本考案の第５の実施例に係る接続装置の分解斜視図である。
【図１４】本考案の第５の実施例に係る接続装置の斜視図である。
【図１５】本考案の第５の実施例に係る接続装置の他の使用状態を示す斜視図である。
【図１６】本考案の第５の実施例に係る接続装置の更に他の使用状態を示す斜視図である。
【図１７】本考案の第６の実施例に係る接続装置の分解斜視図である。
【図１８】本考案の第７の実施例に係る接続装置の分解斜視図である。
【図１９】本考案の第８の実施例に係る接続装置の平面図である。
【図２０】本考案の第９の実施例に係る接続装置の分解斜視図である。
【図２１】本考案の第９の実施例に係る接続装置の斜視図である。
【図２２】本考案の第９の実施例に係る接続装置の他の使用状態を示す斜視図である。
【図２３】本考案の第１０の実施例に係る接続装置の分解斜視図である。
【図２４】本考案の第１０の実施例に係る接続装置の斜視図である。
【図２５】本考案の第１１の実施例に係る接続装置の分解斜視図である。
【図２６】本考案の第１２の実施例に係る接続装置の分解斜視図である。
【図２７】本考案の第１３の実施例に係る接続装置の斜視図である。
【図２８】本考案の第１３の実施例に係る接続装置の他の使用状態を示す斜視図である。
【図２９】本考案の第１４の実施例に係る接続装置の斜視図である。
【図３０】本考案の第１５の実施例に係る接続装置の斜視図である。
【考案を実施するための形態】
【００１０】
＜第１の実施例＞
図１乃至図４に示すように、本考案に係るマルチタイプ接続装置は、第１のモジュール１００、第２のモジュール２００及びアウターハウジング３００を含む。本実施例において、第１のモジュール１００の規格はＵＳＢ３．０のＡ型規格であり、第２のモジュール２００の規格はＵＳＢのＣ型規格であるが、本考案の第１のモジュール１００及び第２のモジュール２００の規格はこれらに限定されず、ＵＳＢのＡ型規格、ＵＳＢのＢ型規格、ＵＳＢのＣ型規格、Ｍｉｃｒｏ  ＵＳＢ又はＭｉｎｉ  ＵＳＢの３．０又は２．０のＵＳＢの規格であってもよい。第１のモジュール１００及び第２のモジュール２００はまた、他の形式のドッキングコネクタであってもよい。第１のモジュール１００及び第２のモジュール２００は、プラグ、コンセント形式であってもよい。
【００１１】
第１のモジュール１００は、第１の絶縁本体１及び第１の端子群２を含む。第１の端子群２は、第１の絶縁本体１に設けられる。第１の端子群２は、複数の端子２１、端子２２を含む。本実施例において、第１の端子群２は、複数の第１の端子２１及び複数の第２の端子２２を含む。これら第１の端子２１及び第２の端子２２は、いずれも第１の絶縁本体１に設けられると共に、第１の端子２１及び第２の端子２２共にＵＳＢ３．０伝送プロトコルを実行する。
【００１２】
これら第１の端子２１の前端には、それぞれ第１の接触部２１１が形成されている。これら第２の端子２２の前端には、それぞれが第２の接触部２２１形成されている。これら第１の接触部２１１及びこれら第２の接触部２２１は、第１の絶縁本体１の１つの面に露出されることができ、ドッキングコネクタの端子と接触して電気的接続を達成するのに用いられる。第１の端子２１及び第２の端子２２の後端には、それぞれ第１の導通部２１２及び第２の導通部２２２が形成されている。これら第１の導通部２１２及びこれら第２の導通部２２２は、第１の絶縁本体１の１つの面に露出されることができ、第２のモジュール２００の端子と接触して電気的接続を達成するのに用いられる。
【００１３】
第２のモジュール２００は、第２の絶縁本体３及び第２の端子群４を含む。第２の端子群４は、第２の絶縁本体３に設けられる。第２の絶縁本体３は、略平板体である。第２の端子群４は、複数の端子４１及び端子４２を含む。本実施例において、第２の端子群４は、複数の第３の端子４１及び複数の第４の端子４２を含む。これら第３の端子４１及びこれら第４の端子４２は、第２の絶縁本体３に設けられると共に、共にＵＳＢのＣ型伝送プロトコルを実行する。
【００１４】
第３の端子４１及び第４の端子４２の前端には、それぞれ第３の接触部４１１及び第４の接触部４２１が形成されている。これら第３の接触部４１１及びこれら第４の接触部４２１は、それぞれ第２の絶縁本体３内の上側及び下側に露出され、ドッキングコネクタの端子と接触して電気的接続を達成するのに用いられる。第３の端子４１及び第４の端子４２の中間には、それぞれ第３の導通部４１２及び第４の導通部４２２が形成されている。これら第３の導通部４１２及びこれら第４の導通部４２２は、第２の絶縁本体３の１つの面に露出されることができ、第２の端子群４と第１の端子群２とが選択的に電気的に接続されるように、第１の導通部２１２及び第２の導通部２２２と選択的に接触するのに用いられる。第２の絶縁本体３及び第２の端子群４は、更に外部が金属ハウジング４３によって被覆される。
【００１５】
第３の端子４１及び第４の端子４２の第３の導通部４１２及び第４の導通部４２２は、回路基板４５に形成されてもよい。第２の絶縁本体３の後部にはＵ字形の収容ベース４４が設けられている。当該収容ベース４４は、プラスチック又は金属材料から成り、一体成型又は組合せにより第２の絶縁本体３に設けられる。これにより、第１のモジュール１００及びアウターハウジング３００が収容ベース４４の内部に収容されることができるため、第１のモジュール１００及び第２のモジュール２００をより安定的に相対移動させることができる。
【００１６】
第３の端子４１及び第４の端子４２の後端には、それぞれ第１の接続部４１３及び第２の接続部４２３が形成されている。これら第１の接続部４１３及びこれら第２の接続部４２３は、はんだ付けによるケーブル又は回路基板への電気的接続に用いられるが、これらに限定されず、その他の装置に電気的接続されてもよい。本実施例において、第１の接続部４１３及び第２の接続部４２３も回路基板４５に形成される。当然ながら、第１の接続部４１３及び第２の接続部４２３は、例えば弾性板、接合点等の形態である接触部構造として構成されてもよく、ドッキングコネクタの端子と接触して電気的接続を達成するのに用いられる。
【００１７】
本実施例において、第１の端子群２は、複数の第１の端子２１及び複数の第２の端子２２を含み、第２の端子群４は、複数の第３の端子４１及び複数の第４の端子４２を含むが、これに限定されず、第１の端子群２及び第２の端子群４の端子の数及び形式は変更することができる。例えば、第１の端子群２は複数の第１の端子２１のみを含み、第２の端子群４も複数の第３の端子４１のみを含むようにして、これら端子の接触部、導通部及び接続部も１列、２列又は数列となるよう設けることもできる。
【００１８】
第１のモジュール１００と第２のモジュール２００とはとは重なるように設けられる。即ち、第１のモジュール１００と第２のモジュール２００とは上下に重なるようにしてもよい。第１のモジュール１００と第２のモジュール２００とは相対的に移動することができる（即ち前後に移動することができる）。第１のモジュール１００は、第１の位置（前方位置又は電気的接続位置）及び第２の位置（後方位置又は電気的分離位置）まで移動することができる。本実施例において、更に第２のモジュール２００の後端には、射出成型又は組合せにより被覆体４００が設けられる（図５参照）。
【００１９】
第１のモジュール１００が前に向かって第１の位置まで移動した場合（図５及び図６参照）、第１のモジュール１００は使用状態となり、この時、第３の導通部４１２及び第４の導通部４２２が、対応する第１の導通部２１２及び第２の導通部２２２と接触することで、第１の端子群２と第２の端子群４とが電気的に接続される。即ち、第１の端子群２は、第２の端子群４に接続されたケーブル又は回路基板等の装置と導通状態となり、それによって第１のモジュール１００が使用可能な状態となる。第１のモジュール１００の第１の接触部２１１及び第２の接触部２２１は、ドッキングコネクタと電気的に接続するのに用いられることができる。
【００２０】
第１のモジュール１００が後ろに向かって第２の位置まで移動した場合（図７及び図８参照）、第１のモジュール１００が収縮状態となる一方、第２のモジュール２００は使用状態となり、第３の導通部４１２及び第４の導通部４２２が、対応する第１の導通部２１２及び第２の導通部２２２から分離することで、第１のモジュール１００の第１の端子群２と第２のモジュール２００の第２の端子群４とが電気的に分離される。第１のモジュール１００は使用できなくなり、第２のモジュール２００のみ使用可能となる。この時、第２のモジュール２００の第３の接触部４１１及び第４の接触部４２１は、ドッキングコネクタと電気的に接続するのに用いられることができる。これにより、第１のモジュール１００及び第２のモジュール２００の相対移動を利用するだけで、接続装置の伸縮変化を達成することができ、第１のモジュール１００又は第２のモジュール２００を自由に切り替えて使用することが可能である。
【００２１】
また、本考案の他の実施例において、第１の端子群２は複数の第１の端子２１のみ含む構成としてもよく、第２の端子群４は複数の第３の端子４１のみ含む構成としてもよい。第１のモジュール１００及び第２のモジュール２００が前後に移動した場合、同様に接続装置の伸縮変化を達成することができ、第１のモジュール１００又は第２のモジュール２００を自由に切り替えて使用することが可能である。具体的に言えば、第１のモジュール１００が第１の位置まで移動した場合、第１のモジュール１００は使用状態となり、第３の導通部４１２が、対応する第１の導通部２１２と接触する。第１のモジュール１００が第２の位置まで移動した場合、第１のモジュール１００が収縮状態となる一方、第２のモジュール２００は使用状態となり、第３の導通部４１２が対応する第１の導通部２１２から分離する。また、第１のモジュール１００及び第２のモジュール２００が相対移動して位置決めされる際には、適切な位置決め構造（図示せず）が設けられることによって位置決めすることもでき、例えば、突起、フック等、ストッパ位置決め作用を有する各種構造を設けることで位置決めすることができる。
【００２２】
アウターハウジング３００は、第１のモジュール１００の外部に被覆される。即ち、アウターハウジング３００は、第１の絶縁本体１等の素子の外部に被覆されることができる。アウターハウジング３００は、金属等から成るものであってよい。アウターハウジング３００の前端は開口状に形成され、アウターハウジング３００の１つの面には間隙３０１が設けられている。間隙３０１は、アウターハウジング３００の両端まで延在されてもよい。アウターハウジング３００における間隙３０１の両側には、それぞれ突出部３０２が設けられている。２つの突出部３０２は、アウターハウジング３００の両側下端から内側に延在して形成される。２つの突出部３０２は、水平状に設けられると共に、相互に平行している。第２のモジュール２００もアウターハウジング３００に被覆される。第２のモジュール２００は、２つの突出部３０２を用いて当接位置決めされる。これにより、第１のモジュール１００と第２のモジュール２００との相対移動が安定となる。また、第１のモジュール１００には、押しボタン１１が更に突設されており、当該押しボタン１１は、第１の絶縁本体１の頂面又は一側に突設されることができる。本実施例において、押しボタン１１は、第１のモジュール１００を前後に移動させるのに便利となるように、第１の絶縁本体１の頂面に突設される。
【００２３】
＜第２の実施例＞
図９及び図１０に示すように、本実施例において、第２のモジュール２００の前段部分は更に回転可能な構成としてもよい。即ち、第２のモジュール２００を前段部２０１及び後段部２０２とに分け、前段部２０１と後段部２０２との間を回転軸機構２０３によって相互に枢支接続することで、使用上便利となるように、第２のモジュール２００を上向き又は下向きに転倒させることができる。上述した前段部２０１及び後段部２０２に設けられた第３の端子４１及び第４の端子４２も、対応するように２つの部分に分けられ（図示せず）、２つの部分の間を導線、導電シート又はフレキシブル回路基板などによって接続する。
【００２４】
＜第３の実施例＞
図１１に示すように、本実施例において、第３のモジュール２００ａが更に設けられている。第３のモジュール２００ａは、接続ケーブル２０５によって第２のモジュール２００の第２の端子群４に電気的に接続される。接続ケーブル２０５は可撓性を有し、これにより、第３のモジュール２００ａは、第２のモジュール２００に移動可能に設けられる。
【００２５】
＜第４の実施例＞
図１２に示すように、本実施例において、２つの第１のモジュール１００が設けられている。２つの第１のモジュール１００は、第２のモジュール２００に前後に移動可能に設けられる。２つの第１のモジュール１００は、それぞれ第２のモジュール２００の頂部及び底部に前後に移動可能に設けられる。第１のモジュール１００及び第２のモジュール２００の相対移動を利用するだけで、接続装置の伸縮変化を達成することができ、２つの第１のモジュール１００又は第２のモジュール２００を自由に切り替えて使用することが可能である。
【００２６】
＜第５の実施例＞
図１３に示すように、本実施例において、２つの第１のモジュール１００が設けられている。２つの第１のモジュール１００は、第２のモジュール２００に前後に移動可能に設けられる。即ち、２つの第１のモジュール１００は、それぞれ第２のモジュール２００の頂部及び底部に前後に移動可能に設けられる。第１のモジュール１００と第２のモジュール２００との間には案内機構が設けられている。例えば、第１のモジュール１００の両側にはガイドレール１０１が設けられていると共に、第２のモジュール２００の両側には対応するガイド溝２０６が設けられている。ガイド溝２０６とガイドレール１０１とは摺動するように組み合わされ、第１のモジュール１００と第２のモジュール２００とが安定的に相対移動できるよう案内するのに用いられる。
【００２７】
第３の端子４１及び第４の端子４２の中間には、それぞれ第３の導通部４１２及び第４の導通部４２２が形成されている。これら第３の導通部４１２及びこれら第４の導通部４２２は、第２の絶縁本体３の両面（頂面及び底面）に露出されることができ、第２の端子群４と２つの第１のモジュール１００の第１の端子群２とが選択的に電気的に接続されるように、第１の導通部２１２及び第２の導通部２２２と選択的に接触するのに用いられる。
【００２８】
第３の端子４１及び第４の端子４２の後端には、それぞれ第１の接続部４１３及び第２の接続部４２３が形成されている。本実施例において、第２のモジュール２００の第２の絶縁本体３及び第２の端子群４の後端に変更が施されることで、第３の端子４１の第１の接続部４１３及び第４の端子４２の第２の接続部４２３が接触部の構造として構成されている。第２のモジュール２００の後端は、ドッキングコネクタと電気的に接続されるように、アダプタ２０７として形成される。
【００２９】
上方の第１のモジュール１００が前に向かって第１の位置まで移動した場合（図１４参照）、上方の第１のモジュール１００は使用状態となり、この時、第２の絶縁本体３の頂面に位置する第３の導通部４１２及び第４の導通部４２２が、上方の第１のモジュール１００の対応する第１の導通部２１２及び第２の導通部２２２と接触することで、上方の第１のモジュール１００の第１の端子群２と第２のモジュール２００の第２の端子群４とが電気的に接続される。これにより、上方の第１のモジュール１００が使用可能な状態となり、上方の第１のモジュール１００の第１の接触部２１１及び第２の接触部２２１が、ドッキングコネクタと電気的に接続するのに用いられることができる。
【００３０】
下方の第１のモジュール１００が前に向かって第１の位置まで移動した場合（図１５参照）、下方の第１のモジュール１００は使用状態となり、この時、第２の絶縁本体３の底面に位置する第３の導通部４１２及び第４の導通部４２２が、下方の第１のモジュール１００の対応する第１の導通部２１２及び第２の導通部２２２と接触することで、下方の第１のモジュール１００の第１の端子群２と第２のモジュール２００の第２の端子群４とが電気的に接続される。これにより、下方の第１のモジュール１００が使用可能な状態となり、下方の第１のモジュール１００の第１の接触部２１１及び第２の接触部２２１が、ドッキングコネクタと電気的に接続するのに用いられることができる。
【００３１】
上方及び下方の第１のモジュール１００が共に後ろに向かって第２の位置まで移動した場合（図１６参照）、２つの第１のモジュール１００が収縮状態となる一方、第２のモジュール２００は使用状態となり、この時、第２のモジュール２００の第３の接触部４１１及び第４の接触部４２１が、ドッキングコネクタと電気的に接続するのに用いられることができる。これにより、第１のモジュール１００及び第２のモジュール２００の相対移動を利用するだけで、接続装置の伸縮変化を達成することができ、２つの第１のモジュール１００又は第２のモジュール２００を自由に切り替えて使用することが可能である。
【００３２】
＜第６の実施例、第７の実施例＞
図１７及び図１８に示すように、本実施例において、２つの第１のモジュール１００が設けられている。２つの第１のモジュール１００は、第２のモジュール２００に前後に移動可能に設けられる。本実施例では、主として、上方の第１のモジュール１００を異なる規格に変えており、例えば、Ｍｉｃｒｏ  ＵＳＢ又はＭｉｎｉ  ＵＳＢの規格としてもよい。第１のモジュール１００及び第２のモジュール２００の相対移動を利用すれば、接続装置の伸縮変化を達成することができ、２つの第１のモジュール１００又は第２のモジュール２００を自由に切り替えて使用することが可能である。また、２つの第１のモジュール１００は、必要に応じて異なる挿入接続方向に向けることができる。本実施例において、上方及び下方の第１のモジュール１００の第１の端子２１及び第２の端子２２には、それぞれ第１の導通部２１２及び第２の導通部２２２が形成されている。これら第１の導通部２１２及びこれら第２の導通部２２２は、第１の絶縁本体１の１つの面に露出され、且つ１列となるよう設けられる。第３の端子４１及び第４の端子４２には、それぞれ第３の導通部４１２及び第４の導通部４２２が形成されている。これら第３の導通部４１２及びこれら第４の導通部４２２は、第２の絶縁本体３又は回路基板４５の両面に露出され、且つ２列又は数列となるよう設けられている。第３の端子４１及び第４の端子４２の後端には、それぞれ第１の接続部４１３及び第２の接続部４２３が形成されている。これら第１の接続部４１３及びこれら第２の接続部４２３は、第２の絶縁本体３又は回路基板４５の１つの面又は両面に露出される。上方及び下方の第１のモジュール１００は、自由に移動させることが可能である。これにより、第２の絶縁本体３に位置する第３の導通部４１２及び第４の導通部４２２を、選択的に上方、下方の第１のモジュール１００の対応する第１の導通部２１２及び第２の導通部２２２と接触させることができ、第１のモジュール１００を異なる前後の位置に移動させた場合、第１の端子群２と第２のモジュール２００の第２の端子群４とが共に電気的に接続されるようにすることができる。
【００３３】
＜第８の実施例＞
図１９に示すように、本実施例において、複数の第１のモジュール１００が設けられている。複数の第１のモジュール１００は、２つの第２のモジュール２００に前後に移動可能に設けられる。即ち、複数の第１のモジュール１００は、それぞれ第２のモジュール２００の頂部及び底部に前後に移動可能に設けられる。２つの第２のモジュール２００の間はケーブル５００等の方式によって電気的に接続されることができ、第１のモジュール１００及び第２のモジュール２００の相対移動を利用するだけで、接続装置の伸縮変化を達成することができ、第１のモジュール１００又は第２のモジュール２００を自由に切り替えて使用することが可能である。第１のモジュール１００は、ＵＳＢのＡ型規格、ＵＳＢのＢ型規格、ＵＳＢのＣ型規格、Ｍｉｃｒｏ  ＵＳＢ又はＭｉｎｉ  ＵＳＢの規格であってもよく、モバイル装置用ドッキングコネクタ等の規格であってもよい。一部の第１のモジュール１００は、前段部１０２及び後段部１０３に分けることができ、前段部１０２と後段部１０３との間を回転軸機構１０４によって相互に枢支接続することで、使用上便利となるように、第１のモジュール１００を転倒させることができる。
【００３４】
＜第９の実施例＞
図２０乃至図２２に示すように、本実施例において、第１のモジュール１００及び第２のモジュール２００が設けられている。第１のモジュール１００は、第２のモジュール２００に前後に移動可能に設けられ、第１のモジュール１００及び第２のモジュール２００の相対移動を利用すれば、接続装置の伸縮変化を達成することができ、第１のモジュール１００又は第２のモジュール２００を自由に切り替えて使用することが可能である。本実施例において、第１のモジュール１００の第１の端子２１及び第２の端子２２には、それぞれ第１の導通部２１２及び第２の導通部２２２が形成されている。これら第１の導通部２１２及びこれら第２の導通部２２２は、第１の絶縁本体１の１つの面に露出され、且つ１列となるよう設けられる。第３の端子４１及び第４の端子４２には、それぞれ第３の導通部４１２及び第４の導通部４２２が形成されている。これら第３の導通部４１２及びこれら第４の導通部４２２は、第２の絶縁本体３又は回路基板４５の１つの面に露出され、且つ２列又は数列となるよう設けられている。第３の端子４１及び第４の端子４２の後端には、それぞれ第１の接続部４１３及び第２の接続部４２３が形成されている。これら第１の接続部４１３及びこれら第２の接続部４２３は、第２の絶縁本体３又は回路基板４５の１つの面に露出され、これら第１の接続部４１３及びこれら第２の接続部４２３は、交互に配列され、且つ１列となるよう設けられてもよい。第１のモジュール１００は自由に移動させることが可能である。これにより、第２の絶縁本体３に位置する第３の導通部４１２及び第４の導通部４２２を、選択的に第１のモジュール１００の対応する第１の導通部２１２及び第２の導通部２２２と接触させることができ、第１のモジュール１００を異なる前後の位置に移動させた場合、第１の端子群２と第２のモジュール２００の第２の端子群４とが共に電気的に接続されるようにすることができる。
【００３５】
第１のモジュール１００が第１の位置まで移動した場合、第１のモジュール１００の第１の導通部２１２及び第２の導通部２２２を、第２のモジュール２００の対応する第３の導通部４１２及び第４の導通部４２２と接触させ、第１のモジュール１００の使用上便利となるように、第１のモジュール１００の第１の端子群２と第２のモジュール２００の第２の端子群４とが電気的に接続されるようにすることができる。即ち、第１の端子群２は、第２の端子群４に接続されたケーブル又は回路基板等の装置と導通状態となり、それによって第１のモジュール１００が使用可能な状態となる（図２１参照）。第１のモジュール１００の第１の接触部２１１及び第２の接触部２２１は、ドッキングコネクタと電気的に接続するのに用いられることができる。第１のモジュール１００は、第２のモジュール２００に重ね置かれた場合、第１のモジュール１００の両側に設けられた係止接続部１０６を利用して第２のモジュール２００に係止固定することができ、且つ第２のモジュール２００の一端（前端）は、アウターハウジング３００の一端（後端）の内側に挿入されて位置決めされることができる。
【００３６】
本実施例において、第３の導通部４１２及び第４の導通部４２２は２列となるよう設けられ、第１の導通部２１２及び第２の導通部２２２と選択的に接触するのに用いられる。これにより、第１のモジュール１００を異なる前後の位置に移動させた場合、第１の端子群２と第２のモジュール２００の第２の端子群４とが共に電気的に接続されるようにすることができ、第１のモジュール１００を異なる需要に応じて伸縮変化させて、使用上便利となるようにすることができる。
【００３７】
第１のモジュール１００が第２の位置まで移動した場合、第１の導通部２１２及び第２の導通部２２２が第３の導通部４１２及び第４の導通部４２２から分離することで、第１のモジュール１００の第１の端子群２と第２のモジュール２００の第２の端子群４とが電気的に分離される。この時、第１のモジュール１００は使用できなくなる。即ち、第１の端子群２は、第２の端子群４に接続されたケーブル又は回路基板等の装置と非導通状態となり、それによって第１のモジュール１００が使用されない状態となり、この場合、第２のモジュール２００のみ使用可能となる。
【００３８】
また、第１のモジュール１００と第２のモジュール２００との間には転倒機構が設けられる。即ち、第１のモジュール１００の両側には回転軸１０５が設けられている。本実施例において、第１のモジュール１００の両側には、第１の絶縁本体１又はアウターハウジング３００等の部材から２つのサイドアーム１０８が延在して形成されており、回転軸１０５は、サイドアーム１０８の内側に突設される。また、第２のモジュール２００の両側には、対応するガイド溝２０８が設けられている。ガイド溝２０８は、第２のモジュール２００の両側に凹設されると共に、適度な長さに延在されている。２つの回転軸１０５と２つのガイド溝２０８とは相互に枢支接続し且つ摺動するように組み合わされる。従って、第１のモジュール１００と第２のモジュール２００とが安定的に伸縮移動するよう案内することができる。第１のモジュール１００の回転軸１０５と第２のモジュール２００のガイド溝２０８との枢支接続の組み合わせにより、回転軸１０５を軸心として、第１のモジュール１００を下向きに転倒させるか、又は、第２のモジュール２００を上向きに転倒させることができ、それによって、使用上便利となるように、第２のモジュール２００を露出させることができる（図２２参照）。
【００３９】
＜第１０の実施例＞
図２３及び図２４に示すように、本実施例において、第１のモジュール１００の規格及び外形に変更を施している。本実施例の動作及び効果は上述した実施例と同一であるため、詳しい説明は省略する。
【００４０】
＜第１１の実施例、第１２の実施例＞
図２５及び図２６に示すように、本実施例において、転倒機構に変更を施している。即ち、第１のモジュール１００の両側にはガイド溝１０７が設けられている。本実施例において、第１のモジュール１００の両側には、第１の絶縁本体１又はアウターハウジング３００等の部材から２つのサイドアーム１０８が延在して形成されており、ガイド溝１０７は、サイドアーム１０８に設けられると共に、第２のモジュール２００の両側には、対応する回転軸２０９が設けられている。回転軸２０９とガイド溝１０７とは相互に枢支接続し且つ摺動するように組み合わされ、第１のモジュール１００と第２のモジュール２００とが安定的に伸縮移動するよう案内することができる。第１のモジュール１００のガイド溝１０７と第２のモジュール２００の回転軸２０９との枢支接続の組み合わせにより、第１のモジュール１００及び第２のモジュール２００を異なる方向に回転させて使用することができる。
【００４１】
＜第１３の実施例＞
図２７及び図２８に示すように、本実施例において、第１のモジュール１００及び第２のモジュール２００の外形に変更を施すと共に、第３の導通部４１２及び第４の導通部４２２は１列となるよう設けられ、第１の導通部２１２及び第２の導通部２２２と接触するのに用いられる。本実施例において、転倒機構に変更を施している。即ち、第１のモジュール１００の両側には、ガイド溝１０７が設けられていると共に、第２のモジュール２００の両側には、対応する回転軸２０９が設けられている。回転軸２０９とガイド溝１０７とは相互に枢支接続し且つ摺動するように組み合わされ、第１のモジュール１００と第２のモジュール２００とが安定的に伸縮移動するよう案内することができる。第１のモジュール１００のガイド溝１０７と第２のモジュール２００の回転軸２０９との枢支接続の組み合わせにより、第１のモジュール１００及び第２のモジュール２００を異なる方向に回転させて使用することができる。また、本考案の各実施例におけるガイド溝１０７及びガイド溝２０８の長さは制限されず、ガイド溝１０７及びガイド溝２０８の長さは適宜増減することができる。
【００４２】
＜第１４の実施例＞
図２９に示すように、本実施例において、第２のモジュール２００又は第１のモジュール１００に、更に切替ボタン３１が設けられる。切替ボタン３１は、第２のモジュール２００又は第１のモジュール１００上で推し動かすことで、第２のモジュール２００又は第１のモジュール１００内部の異なる電気抵抗素子（図示せず）が電気的に接続されるようにすることができ、第２のモジュール２００又は第１のモジュール１００の異なる電圧又は電流を切り替え調整したり、異なる端子を選択して使用するために用いることができる。
【００４３】
＜第１５の実施例＞
図３０は、第１５の実施例における上方の第１のモジュール１００の変形例を示す。
【００４４】
以上は本考案の好ましい実施例を述べたものに過ぎず、本考案の保護範囲を制限するものではない。本考案の明細書及び図面の内容を用いてなされた等価の変更は、すべて本考案の保護範囲に含まれることは言うまでもない。
【符号の説明】
【００４５】
１  第１の絶縁本体
１１  押しボタン
２  第１の端子群
２１  第１の端子
２１１  第１の接触部
２１２  第１の導通部
２２  第２の端子
２２１  第２の接触部
２２２  第２の導通部
３  第２の絶縁本体
３１  切替ボタン
４  第２の端子群
４１  第３の端子
４１１  第３の接触部
４１２  第３の導通部
４１３  第１の接続部
４２  第４の端子
４２１  第４の接触部
４２２  第４の導通部
４２３  第２の接続部
４３  金属ハウジング
４４  収容ベース
４５  回路基板
１００  第１のモジュール
１０１  ガイドレール
１０２  前段部
１０３  後段部
１０４  回転軸機構
１０５  回転軸
１０６  係止接続部
１０７  ガイド溝
１０８  サイドアーム
２００  第２のモジュール
２０１  前段部
２０２  後段部
２０３  回転軸機構
２０５  接続ケーブル
２０６  ガイド溝
２０７  アダプタ
２０８  ガイド溝
２０９  回転軸
２００ａ  第３のモジュール
３００  アウターハウジング
３０１  間隙
３０２  突出部
４００  被覆体
５００  ケーブル
【図１】
0003205525.tif 000003
【図２】
0003205525.tif 000004
【図３】
0003205525.tif 000005
【図４】
0003205525.tif 000006
【図５】
0003205525.tif 000007
【図６】
0003205525.tif 000008
【図７】
0003205525.tif 000009
【図８】
0003205525.tif 000010
【図９】
0003205525.tif 000011
【図１０】
0003205525.tif 000012
【図１１】
0003205525.tif 000013
【図１２】
0003205525.tif 000014
【図１３】
0003205525.tif 000015
【図１４】
0003205525.tif 000016
【図１５】
0003205525.tif 000017
【図１６】
0003205525.tif 000018
【図１７】
0003205525.tif 000019
【図１８】
0003205525.tif 000020
【図１９】
0003205525.tif 000021
【図２０】
0003205525.tif 000022
【図２１】
0003205525.tif 000023
【図２２】
0003205525.tif 000024
【図２３】
0003205525.tif 000025
【図２４】
0003205525.tif 000026
【図２５】
0003205525.tif 000027
【図２６】
0003205525.tif 000028
【図２７】
0003205525.tif 000029
【図２８】
0003205525.tif 000030
【図２９】
0003205525.tif 000031
【図３０】
0003205525.tif 000032